(57)【要約】【課題】従来の焼却コンロを改良した多段式焼却コンロによる紙類焼却方法とその装置を提供する。【解決手段】石炭や薪などを燃焼させる小型式の焼却炉で室内を保温する暖炉であって、前記焼却炉を多段式の焼却コンロとなるように形成し該焼却コンロ内に主として廃棄用の紙類を投入しかつ燃焼させて室内を暖房する多段式焼却コンロによる紙類焼却方法であり、またコンクリート素材を台形状に一体形成した単板４枚を設けかつ該単板の左右側面板に多段式の柵を設け更に前記４枚の単板の上方部を広く下方部を狭くなるように組み立てかつ下方部に底板を取り付けて上下部を２枚の締帯板にて締め付けてなる多段式焼却コンロによる紙類焼却装置の提供。【選択図】  図１
2004347278.tif 000002
【特許請求の範囲】
【請求項１】
石炭や薪などを燃焼させる小型式の焼却炉で室内を保温する暖炉であって、前記焼却炉を多段式の焼却コンロとなるように形成し、該焼却コンロ内に主として廃棄用の紙類を投入しかつ燃焼させて室内を暖房することを特徴とする多段式焼却コンロによる紙類焼却方法。
【請求項２】
前項の紙類焼却方法において、焼却コンロの成型素材に耐熱性のコンクリート材を用いてなる請求項１記載の多段式焼却コンロによる紙類焼却方法。
【請求項３】
請求項２記載の耐熱性コンクリート製の焼却コンロを室内の暖炉に配設し、かつ焼却コンロから立ち込める火熱を利用して焼物やお湯を沸すようにした請求項１記載の多段式焼却コンロによる紙類焼却方法。
【請求項４】
耐熱性コンクリート素材を台形状に一体形成した単板４枚を設けかつ該単板の左右側面板に多段式の柵を設け、更に前記４枚の単板の上方部を広く下方部を狭くなるように組み立てかつ下方部に底板を取り付けて上下部を２枚の締帯板にて締め付けてなることを特徴とする多段式焼却コンロによる紙類焼却装置。
【請求項５】
請求項４記載の紙類焼却装置において、左右両側面板の開口部に紙類を投入して燃焼させる紙類投入窓を設け、該紙類投入窓に開封蓋を設けてなる請求項４記載の多段式焼却コンロによる紙類焼却装置。
【請求項６】
請求項４記載の紙類焼却装置において、左右両面板の内側壁面にＵ字状に形成してなる鉄骨材を介して多孔と爪とを有する薄鉄板状の補強板を埋設し、かつ背面板の内側壁面に該壁面を補強する鉄線を埋設してなる請求項４及び５記載の多段式焼却コンロによる紙類焼却装置。
【請求項７】
請求項４記載の紙類焼却装置において、下段部に設けた開封蓋を取りはずして灰取出口から集積された灰を取り出す請求項１及び４記載の多段式焼却コンロによる紙類焼却方法とその装置。
【請求項８】
請求項４記載の紙類焼却装置からなる多段式の焼却コンロを室内の暖炉上に配設し、かつ上方部に排気ダクトを配設して使用する請求項１及び４記載の多段式焼却コンロによる紙類焼却方法とその装置。
【請求項９】
請求項８記載の紙類焼却コンロ上に鉄板若しくは金網を載置し、該装置上で焼物又はお湯を沸すのに利用する請求項１及び７と８記載の多段式焼却コンロによる紙類焼却方法とその装置。
【発明の詳細な説明】
【０００１】
【発明の属する技術分野】
本発明は焼却コンロに関するが、詳しくは多段式の焼却コンロによる紙類焼却方法とその装置に関するものである。
【０００２】
【従来の技術】
従来の屋内小型焼却炉においては、古くは囲炉裏・火鉢・かまど・七輪・鋳物ストーブ・暖炉（ペーチカ）などを利用して紙類の焼却が行われていた。そして、最近では専らガスや石油が運送費も使用料も安いとあって薪や炭を利用しなくなってきた。その結果、紙類の廃棄処理手段としてはシュレッダーなどにより裁断して処分しているのが一般的である。
【０００３】
【発明が解決しようとする課題】
このように従来の屋内小型焼却炉にあっては都市周辺、特にたき火をする庭もない住居面積の小さい集合住宅では囲炉裏・火鉢・竈・鋳物ストーブ・暖炉等を設置する場所が非常に少なく、電気製品やガス製品ばかりが多くなり居住環境はますます密集化され高層化されている。一方、屋内で紙類の古書籍等を焼却する新しい手段も方法もないばかりか、薪や炭を使う容具も少なくなっている。更に、調理用のガス台や暖房用の石油ストーブでは紙など燃やすことはできず。家庭におけるポストの宣伝物、新聞折り込みチラシ、名入りの郵便物及び通信情報紙誌類は毎日大量に配られその処分に苦慮しているのが現状である。
【０００４】
【課題を解決するための手段】
本発明は上記の如き問題を解決するために改良したものであって、石炭や薪などを燃焼させる小型式の焼却炉で室内を保温する暖炉であって、前記焼却炉を多段式の焼却コンロとなるように形成し、該焼却コンロ内に主として廃棄用の紙類を投入しかつ燃焼させて室内を暖房することを特徴とする多段式焼却コンロによる紙類焼却方法の提供にあり、また前記紙類焼却方法において焼却コンロの成型素材に耐熱性のコンクリート材を用いてなる多段式焼却コンロによる紙類焼却方法の提供にあり、また前記耐熱性コンクリート製の焼却コンロを室内の暖炉に配設しかつ焼却コンロから立ち込める火熱を利用して焼物やお湯を沸すようにした多段式焼却コンロによる紙類焼却方法の提供にある。
【０００５】
更に本発明は、耐熱性コンクリート素材を台形状に一体形成した単板４枚を設けかつ該単板の左右側面板に多段式の柵を設け、更に前記４枚の単板の上方部を広く下方部を狭くなるように組み立てかつ下方部に底板を取り付けて上下部を２枚の締帯板にて締め付けてなることを特徴とする多段式焼却コンロによる紙類焼却装置の提供にあり、また前記紙類焼却装置において左右両側面板の開口部に紙類を投入して燃焼させる紙類投入窓を設け該紙類投入窓に開封蓋を設けてなる多段式焼却コンロによる紙類焼却装置の提供にあり、また前記紙類焼却装置において左右両面板の内側壁面にＵ字状に形成してなる鉄骨材を介して多孔と爪とを有する薄鉄板状の補強板を埋設しかつ背面板の内側壁面に該壁面を補強する鉄線を埋設してなる多段式焼却コンロによる紙類焼却装置の提供にある。
【０００６】
更に本発明は前記紙類焼却装置において下段部に設けた開封蓋を取りはずして灰取出口から集積された灰を取り出す多段式焼却コンロによる紙類焼却方法とその装置の提供にあり、また前記紙類焼却装置からなる多段式の焼却コンロを室内の暖炉上に配設しかつ上方部に排気ダクトを配設して使用する多段式焼却コンロによる紙類焼却方法とその装置の提供にあり、また前記紙類焼却コンロ上に鉄板若しくは金網を載置し該装置上で焼物又はお湯を沸すのに利用する多段式焼却コンロによる紙類焼却方法とその装置の提供にある。
【０００７】
このように本発明は、一般紙類を焼却処分するばかりではなく焼却炉の上部に太めの針金の長目網を左右に渡し、常時ヤカンか鍋等を載せておいて物置場の狭い棚代用の鍋置き場を一つ設けると同時に紙類を焼却し易いように紙類を３カ所の投入口１２から入れて燃焼し火力を多く得易くしてある。また、上部より２段目の棚に火皿網を載せることによって、炭火を使用したり中段の棚に火皿網を載せると薪もくべられ、更に少し台所や土間の広い住宅ならば火鉢・七輪・竈・焚き火をするにも使用することが可能となる。
【０００８】
かかる観点から、本発明には耐熱性のコンクリート板を用いしかも厚めで底深くするとともに、左右の側面板には鉄線・金網・多孔で爪のある金属板も埋め込み、更に小火皿の網載棚が数段形成されている。また、紙類は大きな灰が出易いので灰を取り出しやすいように、底いっぱいの金属製の灰取出口が設けられている。
【０００９】
【発明の実施の形態】
本発明の実施形態は、石炭や薪などを燃焼させる小型式の焼却炉で室内を保温する暖炉であって、前記焼却炉を多段式の焼却コンロとなるように形成し該焼却コンロ内に主として廃棄用の紙類を投入しかつ燃焼させて室内を暖房することを特徴とする多段式焼却コンロによる紙類焼却方法であり、また前記紙類焼却方法において焼却コンロの成型素材に耐熱性のコンクリート材を用いてなる多段式焼却コンロによる紙類焼却方法であり、また前記耐熱性コンクリート製の焼却コンロを室内の暖炉に配設しかつ焼却コンロから立ち込める火熱を利用して焼物やお湯を沸すようにした多段式焼却コンロによる紙類焼却方法である。
【００１０】
また本発明の実施形態は、耐熱性コンクリート素材を台形状に一体形成した単板４枚を設けかつ該単板の左右側面板に多段式の柵を設け、更に前記４枚の単板の上方部を広く下方部を狭くなるように組み立てかつ下方部に底板を取り付けて上下部を２枚の締帯板にて締め付けてなることを特徴とする多段式焼却コンロによる紙類焼却装置であり、また前記紙類焼却装置において左右両側面板の開口部に紙類を投入して燃焼させる紙類投入窓を設け該紙類投入窓に開封蓋を設けてなる多段式焼却コンロによる紙類焼却装置であり、また前記紙類焼却装置において左右両面板の内側壁面にＵ字状に形成してなる鉄骨材を介して多孔と爪とを有する薄鉄板状の補強板を埋設しかつ背面板の内側壁面に該壁面を補強する鉄線を埋設してなる多段式焼却コンロによる紙類焼却装置である。
【００１１】
また本発明の実施形態は、紙類焼却装置において下段部に設けた開封蓋を取りはずして灰取出口から集積された灰を取り出す多段式焼却コンロによる紙類焼却方法とその装置にあり、また前記紙類焼却装置からなる多段式の焼却コンロを室内の暖炉上に配設しかつ上方部に排気ダクトを配設して使用する多段式焼却コンロによる紙類焼却方法とその装置であり、また前記紙類焼却コンロ上に鉄板若しくは金網を載置し、該装置上で焼物又はお湯を沸すのに利用する多段式焼却コンロによる紙類焼却方法とその装置にある。
【００１２】
【実施例】
以下、図面に従って本発明の多段式焼却コンロによる紙類焼却方法とその装置の実施例について説明する。
【００１３】
図１から図３は、本発明の多段式焼却コンロによる紙類焼却装置を示したものであり、図１はその全体組立図で図１と図２はそのＡ−Ａ断面図とＢ−Ｂ断面図である。図中１は正面板、２と９は１２は紙類投入窓、３は背面板、４は底面板、５は灰取出口、６は灰集積部、７は右側面板、８と１１多段式柵、１０は左側面板、１３は開封蓋、１４はボルト、１５と１６は締帯板、１７は保持金具、１８は鉄線、１９は補強板、Ａは紙類、Ｂは灰である。
【００１４】
本図でも明らかのように、本発明装置は片側を広く片側を狭くした台形状に形成してなる４枚の単板を設け、この単板の広い方を上に狭い方を下になるように組み立てられている。そして、正面板１の上下２ケ所に開口部が形成されており、上部が紙類投入窓２であり下部は灰集積部６でかつ灰取出口５である。この紙類投入窓２と灰取出口５には開封蓋１３が付設されている。すなわち、紙類投入窓２は紙類Ａを投入し燃焼させたならば開封蓋１３で開口部とじる。一方、灰取出口５は紙類Ａが燃焼した後に落下集積された灰Ｂを開封蓋１３を取りはずしてかき出せるように構成されている。また、７は右側面板であり本発明の特徴である多段式柵８が付設されている。この多段式柵８には、紙類投入窓９が形成されている。一方、右側面板１０にも紙類投入窓口１２が形成されている。この左右側面板７、１０の紙類投入窓９、１２から紙類Ａを投入して燃焼できるように構成されている。また、背面板３は左右側面板７、１０を固定し保持金具１７、１７をボルト１４、１４で締結して所望個所に固定できるように構成されている。
また、底面板４は４枚の単板である正面板１と左右側面板７、１０と背面板３との狭い下側を固定するように構成されている。なお、締帯板１５、１６は正面板１、背面板３、左右側面板７、１０を締結するために設けられている。
【００１５】
図４と図５は本発明装置の組立分解図とその一部拡大切削図を示したものである。まず分解図であるが、各４枚の単板１、３、１０と多段式柵８、１１には耐熱性のコンクリート素材が使用されている。また、多段式柵８には図５に示すようにＵ字形の鉄骨材２０及び多孔と爪とを備えた薄金属板から成型されている補強板１９が埋設されている。次に組立分解方法であるが、底面板４に各ボルト１４を介して正面板１と背面板３とを締着し、ついで正面板１と背面板３に多段式柵８と１１とが付設されている左右側面積板７、１０を各ボルト１４にて締着する。このようにして組み立てると、図１に示すような多段式焼却コンロによる紙類焼却装置が完成する。
【００１６】
図６と図７は、本発明装置の使用方法と利用方法とを示したものである。まず、本発明装置を多段式焼却コンロＷとして使用する場合であるが、従来の室内に有する暖炉Ｓの上に多段式焼却コンロＷを装置し、紙類を燃料として燃焼させて室内を保温する。その際、煙などを外部に排出するため上方部に換気ダクトＴを取り付ける必要がある。なお、Ｐは紙類入箱、Ｒは椅子、Ｙはカーペット、Ｘは座布団である。次の図７に示す本発明装置の利用方法であるが、多段式焼却コンロＷの上に鉄板や金網などを置いて焼物やヤカンなどでお湯を沸すことができる。すなわち、本発明装置による多段式焼却コンロＷを使用することによって、多目的に有効利用することが可能となる。
【００１７】
更に具体的な実施例について説明すれば、例えば木製の型枠を用いて形成する場合であるが、薄い平面の板を本体の目標とする大きさより２割ばかり外周の大きい台形に切り取り４枚を並べるとともに、その各薄板上の全面に油を塗る又は蝋の効いた紙（牛乳パック裏紙を表にして使用など）を貼り付けてから、型枠の上下部分の角材と左右部分の角材を本体の大きさの目標の外周に合致する寸法に、型枠の内径を合わせてから長手方向を２割ばかり長くして切り仮に載せる。更に、寸法が２ｍｍ以上の狂いがない場合には、各角材にも油を塗るか蝋紙を貼って正面板背面板に係止する長手方向の両側に左右側面板の両端が組み込まれるように、正面板の厚みの２分の１と背面板の厚みの２分の１とに長さは型枠長手方向の内径に角材を切りて油を塗るか、若しくは蝋紙を貼って型枠の長手方向表面水平に軽く釘打ちして取り付ける。更に、本体は鉢状に形成するので型枠の上部と下部及び各窓の上面と下面には少しの傾斜が要求されるのでその部分を削る。
また、各棚の傾斜と底面板の４側面の各窓の蓋となる物もこの傾斜と同一の角度で付けておく必要がある。この傾斜を付けることによって、型枠全体に外側へ上部が長くなったり幅広くなるのも注意して型枠全体を組み合わせて釘打ちしたりボルト穴を開けたり、また各ボルト孔用のプラグを孔に突き刺したりしておいて小さい鎹で各型枠の４方を留める。また底板も木ネジをもって留め、各窓の型板もその位置をしっかり決めてモルタルの圧力で移動し易いので４カ所以上を留めて固定する。また、鎹を打つときに上下がずれたり内径が少し広がったりするので杉板やラワン材など割合い柔らかい木材を使用しないようにし、また予め錐で小さな仮孔を設けておいて打ち付けた方がずれが生じにくくなる。その際、あまり強く打ち込んでしまうと外枠を外すときコンクリート板も一緒に破損しかねないので適当に加減する必要がある。更に、左右側面板と背面板には正面板と違った重みがかかるので、型枠に細い鉄線と金網と爪付きの多孔金属などを施しコンクリート板の支持力を補強するためにモルタルを流し込む必要がある。その意味で側面板のボルトも挿脱自在にしないで埋め込み固定にした方が堅固さが保ちやすく、また底面板も背面板の下部の厚さにあわせてボルトを長めに取って埋め込み固定した方が、各板が欠けたり割れたりしにくい効果が得られる。
【００１８】
【発明の効果】
本発明は、石炭や薪などを燃焼させる小型式の焼却炉で室内を保温する暖炉であって、前記焼却炉を多段式の焼却コンロとなるように形成し該焼却コンロ内に主として廃棄用の紙類を投入しかつ燃焼させて室内を暖房することを特徴とする多段式焼却コンロによる紙類焼却方法であり、また前記紙類焼却方法において焼却コンロの成型素材に耐熱性のコンクリート材を用いてなる多段式焼却コンロによる紙類焼却方法であり、また前記耐熱性コンクリート製の焼却コンロを室内の暖炉に配設しかつ焼却コンロから立ち込める火熱を利用して焼物やお湯を沸すようにした多段式焼却コンロによる紙類焼却方法である。
【００１９】
また本発明は、耐熱性コンクリート素材を台形状に一体形成した単板４枚を設けかつ該単板の左右側面板に多段式の柵を設け更に前記４枚の単板の上方部を広く下方部を狭くなるように組み立てかつ下方部に底板を取り付けて上下部を２枚の締帯板にて締め付けてなることを特徴とする多段式焼却コンロによる紙類焼却装置であり、また前記紙類焼却装置において左右両側面板の開口部に紙類を投入して燃焼させる紙類投入窓を設け該紙類投入窓に開封蓋を設けてなる多段式焼却コンロによる紙類焼却装置であり、また前記紙類焼却装置において左右両面板の内側壁面にＵ字状に形成してなる鉄骨材を介して多孔と爪とを有する薄鉄板状の補強板を埋設しかつ背面板の内側壁面に該壁面を補強する鉄線を埋設してなる多段式焼却コンロによる紙類焼却装置。
【００２０】
更に本発明は、紙類焼却装置において下段部に設けた開封蓋を取りはずして灰取出口から集積された灰を取り出す多段式焼却コンロによる紙類焼却方法とその装置であり、また前記紙類焼却装置からなる多段式の焼却コンロを室内の暖炉上に配設しかつ上方部に排気ダクトを配設して使用する多段式焼却コンロによる紙類焼却方法とその装置であり、また前記紙類焼却コンロ上に鉄板若しくは金網を載置し該装置上で焼物又はお湯を沸すのに利用する多段式焼却コンロによる紙類焼却方法とその装置であるから、次のような多くの効果を有する。
ア、本発明装置からなる多段式の焼却コンロによれば、従来の単なる機能しか有しないコンロよりも多くの機能を持たせた多目的効果を有する焼却コンロを提
供することができる。
イ、今日の省エネ時代を迎えた我が国において、本発明装置による多段式焼却コンロを使用することによって、古新聞や古雑誌などの廃棄処分される紙類を再
利用するのには最適な処理方法といえる。
以上のような主要な効果以外にも、次のような個別・具体的な効果がある。
ア、金属製を焼鈍した細針金や金網に係止する多孔で爪のある薄い金属板の折れ曲がった金具及び突抜けのボルトをコンリート板中央に埋設することにより、本体全体の上からの支持力や横からの張力が補強される。そのことによって、
組立状体で強く、また載せる物の重力にも強くなる。
イ、また、各棚の突起部分も強化されるとともにコンクリートが部分的に欠落し
たり破損した場合にも、補修しやすいので長年使用できる。
ウ、また、台所のガス台近くに常時置いて使用するのが目的なので、小型の料理時に邪魔にならない大きさのものが良いが耐熱性セメント及び骨材が重いので本体の高さ３５ｃｍのものでも、１０ｋｇをオーバーしてしまい高さ４０ｃｍの物で４５ｋｇとなる。そこで、この重量を利用するために本体背面に備品留
め金が取り付けることで補強が可能となる。
【図面の簡単な説明】
【図１】本発明装置を示した全体組立図。
【図２】図１に示したＡ−Ａ断面図。
【図３】図１に示したＢ−Ｂ断面図。
【図４】図１に示した本発明装置の分解図。
【図５】本発明装置の要部を示した一部拡大切削図。
【図６】本発明装置の使用方法を示した説明図。
【図７】本発明装置の利用方法を示した説明図。
【符号の説明】
１  正面板                  ２、９  紙類投入窓
３  背面板                  ４  底面板
５  灰取出口                ６  灰集積部
７  右側面板                ８、１１  多段式棚
１０  左側面板              １３  開封蓋
１４  ボルト                １５、１６  締帯板
１７  保持金具              １８  鉄線
１９  補強板                ２０  鉄骨材
Ａ  紙類                    Ｂ  灰
Ｗ  多段式焼却コンロ        Ｓ  暖炉
Ｐ  紙類入箱                Ｔ  排気ダクト
Ｒ  椅子                    Ｙ  カーペット
Ｘ  座布団
【図１】
2004347278.tif 000003
【図２】
2004347278.tif 000004
【図３】
2004347278.tif 000005
【図４】
2004347278.tif 000006
【図５】
2004347278.tif 000007
【図６】
2004347278.tif 000008
【図７】
2004347278.tif 000009
【手続補正書】
【提出日】平成15年9月2日(2003.9.2)
【手続補正１】
【補正対象書類名】明細書
【補正対象項目名】０００３
【補正方法】変更
【補正の内容】
【０００３】
【発明が解決しようとする課題】
このように従来の屋内小型焼却炉にあっては都市周辺、特にたき火をする庭もない住居面積の小さい集合住宅では囲炉裏・火鉢・竈・鋳物ストーブ・暖炉等を設置する場所が非常に少なく、電気製品やガス製品ばかりが多くなり居住環境はますます密集化され高層化されている。一方、屋内で紙類の古書籍等を焼却する新しい手段も方法もないばかりか、薪や炭を使う用具も少なくなっている。更に、調理用のガス台や暖房用の石油ストーブでは紙など燃やすことはできず。家庭におけるポストの宣伝物、新聞折り込みチラシ、名入りの郵便物及び通信情報紙誌類は毎日大量に配られその処分に苦慮しているのが現状である。


【手続補正２】
【補正対象書類名】明細書
【補正対象項目名】０００８
【補正方法】変更
【補正の内容】
【０００８】
かかる観点から、本発明には耐熱性のコンクリート板を用いしかも厚めで底深くするとともに、左右の側面板には鉄線・金網・多孔で爪のある金属板も埋め込み、更に小火皿の網載棚が数段形成されている。また、紙類は大きな灰が出易いので灰を取り出しやすいように、底いっぱいの金属製の灰取出しが設けられている。


【手続補正３】
【補正対象書類名】明細書
【補正対象項目名】００１３
【補正方法】変更
【補正の内容】
【００１３】
図１から図３は、本発明の多段式焼却コンロによる紙類焼却装置を示したものであり、図１はその全体組立図で図１と図２はそのＡ−Ａ断面図とＢ−Ｂ断面図である。図中１は正面板、２と９と１２は紙類投入窓、３は背面板、４は底面板、５は灰取出口、６は灰集積部、７は右側面板、８と１１多段式柵、１０は左側面板、１３は開封蓋、１４はボルト、１５と１６は締帯板、１７は保持金具、１８は鉄線、１９は補強板、Ａは紙類、Ｂは灰である。


【手続補正４】
【補正対象書類名】明細書
【補正対象項目名】００１４
【補正方法】変更
【補正の内容】
【００１４】
本図でも明らかのように、本発明装置は片側を広く片側を狭くした台形状に形成してなる４枚の単板を設け、この単板の広い方を上に狭い方を下になるように組み立てられている。そして、正面板１の上下２ケ所に開口部が形成されており、上部が紙類投入窓２であり下部は灰集積部６でかつ灰取出口５である。この紙類投入窓２と灰取出口５には開封蓋１３が付設されている。すなわち、紙類投入窓２は紙類Ａを投入し燃焼させたならば開封蓋１３で開口部とじる。一方、灰取出口５は紙類Ａが燃焼した後に落下集積された灰Ｂを開封蓋１３を取りはずしてかき出せるように構成されている。また、７は右側面板であり本発明の特徴である多段式柵８が付設されている。この多段式柵８には、紙類投入窓９が形成されている。一方、左側面板１０にも紙類投入窓口１２が形成されている。この左右側面板７、１０の紙類投入窓９、１２から紙類Ａを投入して燃焼できるように構成されている。また、背面板３は左右側面板７、１０を固定し保持金具１７、１７をボルト１４、１４で締結して所望個所に固定できるように構成されている。また、底面板４は４枚の単板である正面板１と左右側面板７、１０と背面板３との狭い下側を固定するように構成されている。なお、締帯板１５、１６は正面板１、背面板３、左右側面板７、１０を締結するために設けられている。


【手続補正５】
【補正対象書類名】明細書
【補正対象項目名】００１５
【補正方法】変更
【補正の内容】
【００１５】
図４と図５は本発明装置の組立分解図とその一部拡大切削図を示したものである。まず分解図であるが、各４枚の単板１、３、１０と多段式柵８、１１には耐熱性のコンクリート素材が使用されている。また、多段式柵８には図５に示すようにＵ字形の鉄骨材２０及び多孔と爪とを備えた薄金属板から成型されている補強板１９が埋設されている。次に組立分解方法であるが、底面板４に各ボルト１４を介して正面板１と背面板３とを締着し、ついで正面板１と背面板３に多段式柵８と１１とが付設されている左右側面板７、１０を各ボルト１４にて締着する。このようにして組み立てると、図１に示すような多段式焼却コンロによる紙類焼却装置が完成する。


【手続補正６】
【補正対象書類名】明細書
【補正対象項目名】００１６
【補正方法】変更
【補正の内容】
【００１６】
図６と図７は、本発明装置の使用方法と利用方法とを示したものである。まず、本発明装置を多段式焼却コンロＷとして使用する場合であるが、従来の室内に有する暖炉Ｓの上に多段式焼却コンロＷを装置し、紙類を燃料として燃焼させて室内を保温する。その際、煙などを外部に排出するため上方部に排気ダクトＴを取り付ける必要がある。なお、Ｐは紙類入箱、Ｒは椅子、Ｙはカーペット、Ｘは座布団である。次の図７に示す本発明装置の利用方法であるが、多段式焼却コンロＷの上に鉄板や金網などを置いて焼物やヤカンなどでお湯を沸すことができる。すなわち、本発明装置による多段式焼却コンロＷを使用することによって、多目的に有効利用することが可能となる。


【手続補正７】
【補正対象書類名】明細書
【補正対象項目名】００２０
【補正方法】変更
【補正の内容】
【００２０】
更に本発明は、紙類焼却装置において下段部に設けた開封蓋を取りはずして灰取出口から集積された灰を取り出す多段式焼却コンロによる紙類焼却方法とその装置であり、また前記紙類焼却装置からなる多段式の焼却コンロを室内の暖炉上に配設しかつ上方部に排気ダクトを配設して使用する多段式焼却コンロによる紙類焼却方法とその装置であり、また前記紙類焼却コンロ上に鉄板若しくは金網を載置し該装置上で焼物又はお湯を沸すのに利用する多段式焼却コンロによる紙類焼却方法とその装置であるから、次のような多くの効果を有する。
ア、本発明装置からなる多段式の焼却コンロによれば、従来の単なる機能しか有  しないコンロよりも多くの機能を持たせた多目的効果を有する焼却コンロを提  供することができる。
イ、今日の省エネ時代を迎えた我が国において、本発明装置による多段式焼却コ  ンロを使用することによって、古新聞や古雑誌などの廃棄処分される紙類を再  利用するのには最適な処理方法といえる。
以上のような主要な効果以外にも、次のような個別・具体的な効果がある。
ア、金属製を焼鈍した細針金や金網に係止する多孔で爪のある薄い金属板の折れ  曲がった金具及び突抜けのボルトをコンリート板中央に埋設することにより、  本体全体の上からの支持力や横からの張力が補強される。そのことによって、  組立状体で強く、また載せる物の重力にも強くなる。
イ、また、各棚の突起部分も強化されるとともにコンクリートが部分的に欠落し  たり破損した場合にも、補修しやすいので長年使用できる。
ウ、また、台所のガス台近くに常時置いて使用するのが目的なので、小型で料理  時に邪魔にならない大きさのものが良いが耐熱性セメント及び骨材が重いので  本体の高さ３５ｃｍのものでも、１０ｋｇをオーバーしてしまい高さ４０ｃｍ  の物で１５ｋｇとなる。そこで、この重量を利用するために本体背面に排気ダ  クト等を取り付けることが可能となる。


【手続補正８】
【補正対象書類名】明細書
【補正対象項目名】符号の説明
【補正方法】変更
【補正の内容】
【符号の説明】
１  正面板                  ２、９、１２  紙類投入窓
３  背面板                  ４  底面板
５  灰取出口                ６  灰集積部
７  右側面板                ８、１１  多段式棚
１０  左側面板              １３  開封蓋
１４  ボルト                １５、１６  締帯板
１７  保持金具              １８  鉄線
１９  補強板                ２０  鉄骨材
Ａ  紙類                    Ｂ  灰
Ｗ  多段式焼却コンロ        Ｓ  暖炉
Ｐ  紙類入箱                Ｔ  排気ダクト
Ｒ  椅子                    Ｙ  カーペット
Ｘ  座布団この手続補正書は、出願時の明細書記載中の誤字脱字を補正するものである。